(57)【要約】      （修正有）【課題】落下や転倒しても床や地面にモード切り替え操作部が直接衝突して損傷することがない可搬式電動工具を提供する。【解決手段】ハウジング５が、グリップ部７の一端部に該グリップ部７よりも外形が大きいシリンダー部８を交差して設けると共にグリップ部７のシリンダー部８と反対側の端部に電池パック取付け部９を設けて構成してある。ハウジング５の電池パック取付け部９にグリップ部７よりも外形が大きい電池パック６が着脱自在に取付けられる可搬式電動工具１０である。工具１０にモード切り替え操作部１１を設け、モード切り替え操作部１１を、グリップ部７の両端部のシリンダー部８側と電池パック６側とが共に同一平面に当接する全ての場合における両側の当接部分を結ぶ線で囲まれた領域よりも内側に配置する。【選択図】図１
2005144564.tif 000002
【特許請求の範囲】
【請求項１】
モータの回転を減速伝達する駆動部と、駆動部の回転出力を出力する出力軸と、モータの回転を指示するスイッチ部と、該モータ、駆動部、出力軸、スイッチ部を覆うハウジングと、該ハウジングに着脱自在な電池パックとを備え、該ハウジングは、手で把持するためのグリップ部の一端部に該グリップ部よりも外形が大きいシリンダー部を交差して設けると共にグリップ部の上記シリンダー部と反対側の端部に電池パック取付け部を設けて構成され、該ハウジングの電池パック取付け部にグリップ部よりも外形が大きい電池パックが着脱自在に取付けられる可搬式電動工具において、該工具にモード切り替え操作部を設け、該モード切り替え操作部を、グリップ部の両端部のシリンダー部側と電池パック側とが共に同一平面に当接する全ての場合における両側の当接部分を結ぶ線で囲まれた領域よりも内側に配置して成ることを特徴とする可搬式電動工具。
【請求項２】
工具に制御回路の監視を行う内容を表示する表示部を備え、該表示部を、グリップ部の両端部のシリンダー部側と電池パック側とが共に同一平面に当接する全ての場合における両側の当接部分を結ぶ線よりも内側の領域に配置して成ることを特徴とする請求項１記載の可搬式電動工具。
【請求項３】
表示部が液晶表示であることを特徴とする請求項２記載の可搬式電動工具。
【請求項４】
電池パック取付け部のグリップ部側を向いた面にモード切り替え操作部を設けて成ることを特徴とする請求項１乃至請求項３のいずれかに記載の可搬式電動工具。
【請求項５】
モード切り替え操作部を、上記グリップ部の両端部のシリンダー部側と電池パック側とが共に同一平面に当接する全ての場合における両側の当接部分を結ぶ線よりも内側の領域で且つグリップ部の外面よりも外方側にずらしたグリップ部以外の部位に配置して成ることを特徴とする請求項１乃至請求項４のいずれかの記載の可搬式電動工具。
【発明の詳細な説明】
【技術分野】
【０００１】
本発明は、ボルト、ナット、あるいは木ねじ等の締め付け作業、及び金工、木工、モルタル、コンクリート等の穴あけ作業、金工、木工等の切断作業に使用する可搬式（手持ち式）電動工具に関するものである。
【背景技術】
【０００２】
従来、可搬式電動工具は、手で把持するためのグリップ部の一端部に該グリップ部よりも外形が大きいシリンダー部を交差して設けると共にグリップ部の上記シリンダー部と反対側の端部に電池パック取付け部を設け、この電池パック取付け部にグリップ部よりも外形が大きい電池パックが着脱自在に取付けて構成してある。
【０００３】
このような可搬式電動工具において、該電動工具の動作モード（例えば複数のトルクモード）を切り替えるためのモード切り替え操作部１１’は、例えば、図９に示すようにシリンダー部８の外周面の電池パック６と反対側の面（つまり電池パック６を下とした場合にシリンダー部８の外周面の上面部分）に設けてあったり、あるいは図示を省略しているが、シリンダー部８の外周面に環状をしたモード切り替え操作部１１’を設けてあった。
【０００４】
ところが、上記のような従来の可搬式電動工具は、作業者の不注意から可搬式電動工具が落下したり、転倒したりするおそれがある。このように、可搬式電動工具が落下したり、転倒したりした場合、グリップ部７の両側にグリップ部７よりも外形が大きいシリンダー部８と電池パック６とが存在するという可搬式電池工具の形状的な特性のため、グリップ部７の両端部のシリンダー部８側と電池パック６側とが共に同一平面に当接する全ての場合における両側の当接部分を結ぶ線で囲まれた領域よりも外側の部分、すなわち、可搬式電動工具を電池パック６側が下、シリンダー部８側が上と定義した場合、シリンダー部８の外周の上面や左右の側面、電池パック６の下面や前後、左右の側面が地面や床に衝突する。このため、上記のようにシリンダー部８の上面に動作モードを切り替えるためのモード切り替え操作部１１’を設けたり、あるいは円筒シリンダーの外周面に環状の動作モードを切り替えるためのモード切り替え操作部を設ける従来例においては、動作モード切り替えのためのモード切り替え操作部が破損しやすいという問題がある。
【０００５】
また、可搬式電動工具において、電池パックの後側面部の左右幅を狭くしてこの幅狭の後側面部に電池パックのにバッテリーの容量表示部を設けたものが特許文献１により知られている。
【０００６】
このものは可搬式電動工具が左右方向に倒れた時には上記のように容量表示部を設けた電池パックの後側面部の左右幅を幅狭としてあることで、容量表示部が地面や床に衝突することはないが、可搬式電動工具が後方に倒れた場合、電池パックの後側面に設けた容量表示部が直接地面や床に衝突し、破損するおそれがある。
【特許文献１】特開平５−３１１６６４号公報
【発明の開示】
【発明が解決しようとする課題】
【０００７】
本発明は上記の従来の問題点に鑑みて発明したものであって、落下や転倒しても床や地面にモード切り替え操作部が直接衝突して損傷することがない可搬式電動工具を提供することを課題とするものである。
【課題を解決するための手段】
【０００８】
上記課題を解決するために本発明に係る可搬式電動工具は、モータ１の回転を減速伝達する駆動部２と、駆動部２の回転出力を出力する出力軸３と、モータ１の回転を指示するスイッチ部４と、該モータ１、駆動部２、出力軸３、スイッチ部４を覆うハウジング５と、該ハウジング５に着脱自在な電池パック６とを備え、該ハウジング５は、手で把持するためのグリップ部７の一端部に該グリップ部７よりも外形が大きいシリンダー部８を交差して設けると共にグリップ部７の上記シリンダー部８と反対側の端部に電池パック取付け部９を設けて構成され、該ハウジング５の電池パック取付け部９にグリップ部７よりも外形が大きい電池パック６が着脱自在に取付けられる可搬式電動工具１０において、該工具１０にモード切り替え操作部１１を設け、該モード切り替え操作部１１を、グリップ部７の両端部のシリンダー部８側と電池パック６側とが共に同一平面に当接する全ての場合における両側の当接部分を結ぶ線で囲まれた領域よりも内側に配置して成ることを特徴とするものである。
【０００９】
このような構成とすることで、工具１０が落下したり、転倒したりしてもモード切り替え操作部１１が直接地面や床１５に衝突して破損することがないものである。
【００１０】
また、工具１０に制御回路１３の監視を行う内容を表示する表示部１２を備え、該表示部１２を、グリップ部７の両端部のシリンダー部８側と電池パック６側とが共に同一平面に当接する全ての場合における両側の当接部分を結ぶ線よりも内側の領域に配置することが好ましい。
【００１１】
このような構成とすることで、工具１０が落下したり、転倒したりしても表示部１２が直接地面や床１５に衝突して破損することがないものである。
【００１２】
また、表示部１２が液晶表示であることが好ましい。
【００１３】
このような構成とすることで、工具１０が落下したり、転倒したりしても破損しやすい液晶表示の保護ができる
また、電池パック取付け部９のグリップ部７側を向いた面にモード切り替え操作部１１を設けることが好ましい。
【００１４】
このような構成とすることで、グリップ部７の端部の電池パック取付け部９を有効に利用して工具１０が落下したり、転倒したりしてもモード切り替え操作部１１が直接地面や床１５に衝突して破損することがないようにでき、また、グリップ部７を手で掴むに当たって、モード切り替え操作部１１が邪魔にならないものである。
【００１５】
また、モード切り替え操作部１１を、上記グリップ部７の両端部のシリンダー部８側と電池パック６側とが共に同一平面に当接する全ての場合における両側の当接部分を結ぶ線よりも内側の領域で且つグリップ部７の外面よりも外方側にずらしたグリップ部７以外の部位に配置することが好ましい。
【００１６】
このような構成とすることで、上記のように工具１０が落下したり、転倒したりした場合にモード切り替え操作部１１が直接地面や床に衝突しないように、モード切り替え操作部１１を、グリップ部７の両端部のシリンダー部８側と電池パック６側とが共に同一平面に当接する全ての場合における両側の当接部分を結ぶ線で囲まれた領域よりも内側に配置したものにおいて、グリップ部７を手で掴んだ状態で、グリップ部７の外面よりも外方側にずらしたグリップ部７以外の部位に配置したモード切り替え操作部１１の状態を確認したり、あるいは操作したりすることができるものである。
【発明の効果】
【００１７】
本発明は、工具が落下したり、転倒したりしてもモード切り替え操作部が直接地面や床に衝突して破損することがなく、長期間安定して使用でき、また、モード切り替え操作部の破損防止のための強度確保が容易に行えてコストダウンを図ることができるものである。
【発明を実施するための最良の形態】
【００１８】
以下、本発明を添付図面に示す実施形態に基いて説明する。
【００１９】
可搬式電動工具１０（以下単に工具１０という）は、インパクト工具、電動ドリルドライバー等であり、モータ１の回転を減速伝達する駆動部２と、駆動部２の回転出力を出力する出力軸３と、モータ１の回転を指示するスイッチ４を覆うハウジング５に電池パック６を着脱自在に取付けて構成してある。なお、添付図面に示す実施形態では工具１０としてインパクト工具を例示している。
【００２０】
ハウジング５は、手で把持するためのグリップ部７の一端部（上端部）にシリンダー部８を交差して設けると共に、グリップ部７の上記シリンダー部８と反対側の端部である他端部（下端部）に電池パック取付け部９を設けて構成してあり、このハウジング５のグリップ部７の他端部に設けた電池パック取付け部９に電池パック６を電池パック６に設けた着脱操作部２５の操作により離脱、及び、押し込みにより装着ができるように着脱自在に取付けある。シリンダー部８は円筒形状又は非円形筒状をしており、このシリンダー部８内には図２に示すようにモータ１、駆動部２、出力軸３の一部分が内装してあり、グリップ部７内にスイッチ４、トリガー１６の一部分が内装してある。
【００２１】
ここで、図１のように、電池パック６が下、シリンダー部８が上となるように工具１０を配置した場合に図１のｚ方向を上下方向、シリンダー部８の軸方向（上記ｚ方向と直交又は略直交する）である図１のｘ方向を前後方向、上記ｘ方向、ｙ方向のいずれにも略直交する方向である図１のｙ方向を左右方向と定義した場合、シリンダー部８はグリップ部７よりもシリンダー部８の軸方向である前後方向（ｘ方向）の長さが長く、また、左右方向（ｙ方向）の長さが長いものである。つまり、グリップ部７の一端部にグリップ部７と交差するように設けられたシリンダー部８の前後方向、左右方向における外形がグリップ部７の前後方向、左右方向における外形よりも大きくなっており、また、グリップ部７の左右両面はシリンダー部８の左右両面よりも内側に位置し且つグリップ部７の前後両面はシリンダー部８の左右両面よりも内側に位置している。
【００２２】
また、グリップ部７の他端部に設けた電池パック取付け部９の前後方向の長さ、左右方向の長さはそれぞれグリップ部７の前後方向の長さ、左右方向の長さよりも長くなっていて電池パック取付け部９の前後方向、左右方向における外形がグリップ部７の前後方向、左右方向における外形よりも大きくなっており、また、グリップ部７の前後両面は電池パック取付け部９の前後両面と略同じか又は内側に位置し、グリップ部７の左右両面は電池パック取付け部９の左右両面と略同じか又は内側に位置している。
【００２３】
更に、電池パック６の前後方向の長さ、左右方向の長さはそれぞれグリップ部７の前後方向の長さ、左右方向の長さよりも長くなっていて電池パック６の前後方向、左右方向における外形もグリップ部７の前後方向、左右方向における外形よりも大きくなっており、また、グリップ部７の前後両面は電池パック６の前後両面と略同じか又は内側に位置し、グリップ部７の左右両面は電池パック６の左右両面と略同じか内側に位置している。
【００２４】
そして、添付図面に示す実施形態では電池パック取付け部９の前後方向、左右方向における外形と、電池パック６の前後方向、左右方向における外形とは略同じとなっている。
【００２５】
上記のような工具１０において、本発明は、該工具１０にモード切り替え操作部１１を設け、該モード切り替え操作部１１を、グリップ部７の両端部のシリンダー部８側と電池パック６側とが共に同一平面に当接する全ての場合における両側の当接部分を結ぶ線で囲まれた領域よりも内側に配置したことに特徴がある。
【００２６】
すなわち、図１、図２、図３に示す実施形態においては、電池パック取付け部９の前部がグリップ部７の前面よりも前方に突出した前方突出部２４となっており、この前方突出部２４の上面部に可搬式電動工具１０のモード切り替え操作部１１と、工具１０に制御回路１３の監視を行う内容を表示する表示パネルよりなる表示部１２とが設けてある。
【００２７】
ここで、工具１０を倒した場合、グリップ部７よりもシリンダー部８、電池パック６の外形が大きいため、グリップ部７の両端部のシリンダー部８側と電池パック６側とが共に同一平面（地面又は床１５）に当接し、グリップ部７は地面又は床１５から浮くことになる。工具１０を倒して地面又は床１５に共に当接するのは、図５のように、工具１０の前側が下となるように倒した場合（この場合にはシリンダー部８の前端又は出力軸３の前端と、電池パック６の前面とが地面又は床１５に当たる）、図６のように、工具１０の後側が下となるように倒した場合（この場合にはシリンダー部８の後端面と、電池パック６の後面とが地面又は床１５に当たる）、図７のように、工具１０が左側又は右側に倒れた場合（この場合にはシリンダー部８の左右いずれかの側面と、電池パック６の左右いずれかの側面とが地面又は床１５に当たる）がある。このいずれの場合も、電池パック取付け部９の前方突出部２４のモード切り替え操作部１１と表示部１２とを設けた部分は地面又は床１５から浮いている。つまり、モード切り替え操作部１１と表示部１２は、グリップ部７の両端部のシリンダー部８側と電池パック６側とが共に同一平面（地面又は床１５）に当接する全ての場合における両側の当接部分を結ぶ線で囲まれた領域よりも内側に配置していることになり、したがって、工具１０を落下又は転倒させた場合に、直接モード切り替え操作部１１、表示部１２が地面又は床１５に当接せず、モード切り替え操作部１１、表示部１２が破損しないようになっている。
【００２８】
モード切り替え操作部１１としては、例えばトルク切り替えスイッチ１１ａや増し締め設定スイッチ１１ｂ等がある。図４には本発明の一例の制御ブロック図が示してあり、１３は制御回路１３であり、トルク切り替えスイッチ１１ａや増し締め設定スイッチ１１ｂ等のモード切り替え操作部１１を操作してモード切り替えを行うと、該モード切り替え信号が制御回路１３に入力され、設定された動作モードとなるように制御回路１３からメインスイッチ２０、スイッチング素子２１、正逆切り替えスイッチ２２を備えたスイッチ部４に制御信号を出力してモータ１を制御するようになっている。この場合、打撃検知回路１７で打撃（本実施形態ではインパクト回転工具の例が示してあるのでインパクト回転工具に設けたアンビルの打撃）を検知し、トルク算出回路１８でトルクを算出し、回転センサ１９でモータ１の回転を検知してこれら打撃検知回路１７、トルク算出回路１８、回転センサ１９での検出情報が制御回路１３に入力されてこの検出情報に基いてモード切り替え操作部１１で切り替え設定された目的の動作モードに制御回路１３により制御されるものである。これによりトルク切り替えスイッチ１１ａを操作することで複数の異なるトルクモードのうちいずれかのトルクモードに選択的に切り替えたり、あるいは、増し締め設定スイッチ１１ｂを操作することで増し締めモード又は増し締め解除モード等を切り替えることができるようにしてある。これらのモード切り替え操作部１１を操作して切り替えられた動作モードは表示部１２に表示される。なお、図４において２３は電池パック６に内蔵された２次電池である。
【００２９】
添付図面に示す実施形態では、図２、図３に示すように電池パック取付け部９内に内装した制御回路１３を備えた制御回路モジュール１４が内装してあり、この電池パック取付け部９内に内装した制御回路モジュール１４に電池パック取付け部９の前方突出部２４の上面に設けた表示部１２を構成する表示パネル、モード切り替え操作部１１が配線接続してある。
【００３０】
表示部１２を構成する表示パネルは例えば液晶表示モジュールであり、上記制御回路モジュール１４とは別体であるが、制御回路モジュール１４のプリント基板上に直接設けてもよい。また、制御回路モジュール１４上にＬＥＤなどを配置して表示パネルに透過表示させるようにしてもよい。
【００３１】
上記のように、グリップ部７の一端部に設けたシリンダー部８内にモータ１、駆動部２を内装し、グリップ部７の他端部に設けた電池パック取付け部９に表示部１２を設け、更に該電池パック取付け部９内に制御回路モジュール１４を内装することで、モータ１、駆動部２からより遠い位置に表示部１２、制御回路モジュール１４を配置でき、これによりモータ１、駆動部２で発生する振動を緩和できて、表示部１２（特に表示部１２を液晶で構成した場合における液晶表示パネル）及び制御回路モジュール１４の強度確保が容易に行え、コストダウンを図ることができるものである。
【００３２】
図７にはモード切り替え操作部１１と表示部１２とを別々に設けた例を示しているが、図８のように、表示部１２を構成する表示パネルの一部にモード切り替え操作部１１を設け、制御回路モジュール１４にスイッチング部を設け、表示部１２の一部に設けたモード切り替え操作部１１によりスイッチング部を操作するようにしてもよい。
【図面の簡単な説明】
【００３３】
【図１】本発明の可搬式電動工具の斜視図である。
【図２】同上の概略構成図である。
【図３】同上の要部拡大断面図である。
【図４】同上の制御ブロック図である。
【図５】同上の転倒の一例を示す説明図である。
【図６】同上の転倒の他例を示す説明図である。
【図７】同上の転倒の更に他例を示す説明図である。
【図８】本発明の他の実施形態の斜視図である。
【図９】従来例を示し、（ａ）は側面図であり、（ｂ）は要部平面図である。
【符号の説明】
【００３４】
１  モータ
２  駆動部
３  出力軸
４  スイッチ部
５  ハウジング
６  電池パック
７  グリップ部
８  シリンダー部
９  電池パック取付け部
１０  工具
１１  モード切り替え操作部
１２  表示部
１３  制御回路
【図１】
2005144564.tif 000003
【図２】
2005144564.tif 000004
【図３】
2005144564.tif 000005
【図４】
2005144564.tif 000006
【図５】
2005144564.tif 000007
【図６】
2005144564.tif 000008
【図７】
2005144564.tif 000009
【図８】
2005144564.tif 000010
【図９】
2005144564.tif 000011
【手続補正書】
【提出日】平成17年1月13日(2005.1.13)
【手続補正１】
【補正対象書類名】明細書
【補正対象項目名】０００５
【補正方法】変更
【補正の内容】
【０００５】
また、可搬式電動工具において、電池パックの後側面部の左右幅を狭くしてこの幅狭の後側面部に電池パックのバッテリーの容量表示部を設けたものが特許文献１により知られている。
【手続補正２】
【補正対象書類名】明細書
【補正対象項目名】０００６
【補正方法】変更
【補正の内容】
【０００６】
このものは可搬式電動工具が左右方向に倒れた時には上記のように容量表示部を設けた電池パックの後側面部の左右幅を幅狭としてあることで、容量表示部が地面や床に衝突することはないが、可搬式電動工具が後方に倒れた場合、電池パックの後側面に設けた容量表示部が直接地面や床に衝突し、破損するおそれがある。
【特許文献１】特開平７−１６１３４０号公報